(57)【要約】【課題】  縦框への加熱発泡材の取付けが容易で、且つ加熱発泡材を広範囲に取付けできる建具の提供。【解決手段】  縦框１，２の長手方向に沿って加熱発泡材取付け溝３を有し、縦框１，２上端部には加熱発泡材取付け溝３を逃がして上振れ止め部品４，７を取付けてあり、縦框１，２下端部には加熱発泡材６，９の下端を受ける落ち止め部１０を有する下振れ止め部品５，８を取付けてあり、下振れ止め部品５，８の落ち止め部１０から縦框１，２の上端に亘って加熱発泡材６，９を設けてあり、上振れ止め部品４，７を縦框１，２に取付けた状態で、加熱発泡材取付け溝３の上端から加熱発泡材６，９を挿通自在である。【選択図】      図１
2018071066.tif 000002
【特許請求の範囲】
【請求項１】
縦框の長手方向に沿って加熱発泡材取付け溝を有し、縦框上端部には加熱発泡材取付け溝を逃がして上振れ止め部品を取付けてあり、縦框下端部には加熱発泡材の下端を受ける落ち止め部を有する下振れ止め部品を取付けてあり、下振れ止め部品の落ち止め部から縦框の上端に亘って加熱発泡材を設けてあり、上振れ止め部品を縦框に取付けた状態で、加熱発泡材取付け溝の上端から加熱発泡材を挿通自在であることを特徴とする建具。
【発明の詳細な説明】
【技術分野】
【０００１】
本発明は、防火性能を有する建具に関する。
【背景技術】
【０００２】
特許文献１には、戸先框３３に外周側に開口して設けた溝部７１ｂの底部側に加熱発泡材７１ａを支持部７１ｃで支持し、戸先框の上端部に取付けた上部振れ止め５２と戸先框の下端部に取付けた下部振れ止め５４により加熱発泡材７１ａの上下方向の移動を規制した開口部装置が記載されている。
上記の構成によれば、戸先框に取付ける前に、あらかじめ加熱発泡材を上部振れ止めと下部振れ止めの間の長さに正確に測って切断しておく必要があり、また加熱発泡材の取付けは、少なくとも上下何れかの振れ止めを取付ける前に行う必要があり、上下の振れ止めを取付けた後からでは加熱発泡材を取付けることができないため、加熱発泡材の取付けが容易でなかった。さらに、戸先框の上下端部の振れ止めが取付く部分には加熱発泡材が付かないので、火災時に振れ止めが溶けてなくなると枠との間に隙間が生ずる。
【先行技術文献】
【特許文献】
【０００３】
【特許文献１】特開２０１４−１９６６２２号公報
【発明の概要】
【発明が解決しようとする課題】
【０００４】
本発明は以上に述べた実情に鑑み、縦框への加熱発泡材の取付けが容易で、且つ加熱発泡材を広範囲に取付けできる建具の提供を目的とする。
【課題を解決するための手段】
【０００５】
上記の課題を達成するために請求項１記載の発明による建具は、縦框の長手方向に沿って加熱発泡材取付け溝を有し、縦框上端部には加熱発泡材取付け溝を逃がして上振れ止め部品を取付けてあり、縦框下端部には加熱発泡材の下端を受ける落ち止め部を有する下振れ止め部品を取付けてあり、下振れ止め部品の落ち止め部から縦框の上端に亘って加熱発泡材を設けてあり、上振れ止め部品を縦框に取付けた状態で、加熱発泡材取付け溝の上端から加熱発泡材を挿通自在であることを特徴とする。
【発明の効果】
【０００６】
請求項１記載の発明による建具は、縦框の長手方向に沿って加熱発泡材取付け溝を有し、縦框上端部には加熱発泡材取付け溝を逃がして上振れ止め部品を取付けてあり、上振れ止め部品を縦框に取付けた状態で、加熱発泡材取付け溝の上端から加熱発泡材を挿通自在なので、加熱発泡材を下振れ止め部品の落ち止め部に当たるまで挿入し、縦框上端の位置で加熱発泡材を切断するだけでよく、加熱発泡材の取付けが容易である。また、加熱発泡材を下振れ止め部品の落ち止め部から縦框の上端に亘って広範囲に取付けできる。
【図面の簡単な説明】
【０００７】
【図１】（ａ）は戸先框への上下振れ止め部品及び加熱発泡材の取付け状態を示す側面図、（ｂ）は同平面図、（ｃ）は同底面図である。
【図２】（ａ）は召合せ框への上下振れ止め部品及び加熱発泡材の取付け状態を示す室内側正面図、（ｂ）は同平面図、（ｃ）は同底面図である。
【図３】本発明に係る建具の一実施形態を示す縦断面図である。
【図４】同建具の横断面図である。
【図５】（ａ）は戸先框の上振れ止め部品の平面図、（ｂ）は同室内側正面図、（ｃ）は同側面図である。
【図６】（ａ）は戸先框の下振れ止め部品の平面図、（ｂ）は同室内側正面図、（ｃ）は同側面図である。
【図７】戸先框への加熱発泡材の取付け方を示す斜視図である。
【図８】火災時に戸先框に取付けた加熱発泡材が発泡・膨張し、縦枠と戸先框間の隙間を塞いでいる状態を示す横断面図である。
【発明を実施するための形態】
【０００８】
以下、本発明の実施の形態を図面に基づいて説明する。図１〜６は、本発明の建具の一実施形態に係る引違いサッシを示している。本建具は、図３，４に示すように、躯体開口部に取付けられる枠１１と、枠１１内に引違い状に開閉自在に収めた外障子１２と内障子１３を備える。
【０００９】
枠１１は、上枠１４と下枠１５と左右の縦枠１６，１６を枠組みして構成してある。上枠１４は、図３に示すように、室外側垂下片１７とレール１８と中間垂下片１９と室内側垂下片２０とを有しており、レール１８に外障子１２の上部を案内し、中間垂下片１９と室内側垂下片２０との間の溝２１に内障子１３の上部を案内している。中間垂下片１９と室内側垂下片２０の下端部には、室外側に向けて不燃性タイト材２２が取付けてあり、各タイト材２２が外障子１２の上框２３の室内側面と内障子１３の上框２３の室内側面にそれぞれ当接している。
【００１０】
下枠１５は、室外側より室内側が高くなった階段状に形成してあり、外障子１２の下部を案内する外レール２４と、内障子１３の下部を案内する内レール２５と、室内側端部に設けた立上がり片２６と、内レール２５の基端部より室外側に向けて突出する突出片２７を有している。突出片２７の室外側端部と立上がり片２６の上端部には、室外側に向けて不燃性タイト材２８が取付けてあり、各タイト材２８が外障子１２の下框２９の室内側面と内障子１３の下框２９の室内側面にそれぞれ当接している。内レール２５の下方の縦壁３０には、加熱発泡材取付け溝３１が長手方向に沿って設けてあり、加熱発泡材取付け溝３１に保持して加熱発泡材３２が下枠の全長に取付けてある。加熱発泡材３２は、加熱されることにより発泡して厚さ方向（取付面に対して垂直方向）に膨張するものであって、火災時には加熱発泡材３２が発泡・膨張して外障子１２の室内側面との間の空間を埋める。
【００１１】
外障子１２側（室内側から見て左側）の縦枠１６は、図４に示すように、外障子１２の戸先框１に形成された溝３３内にのみ込まれるフィン３４と、フィン３４よりも室内側で内周側に突出する突片３５を有している。突片３５には室外側に向けて不燃性タイト材３６が取付けてあり、不燃性タイト材３６が戸先框１の室内側面に当接している。内障子１３側（室内側から見て右側）の縦枠１６も、内障子１３の戸先框１に形成された溝３３内にのみ込まれるフィン３４と、フィン３４よりも室内側で内周側に突出する突片３５を有しており、突片３５には室外側に向けて不燃性タイト材３６が取付けてあり、不燃性タイト材３６が戸先框１の室内側面に当接している。
【００１２】
外障子１２と内障子１３は、上框２３と下框２９と戸先框１と召合せ框２とを框組みし、その内側に複層ガラス３７を納めて構成してある。外障子１２と内障子１３は、図３に示すように、上枠１４に設けられたレール１８及び溝２１、下枠１５に設けられた外レール２４及び内レール２５に案内され、上下枠１４，１５の長手方向に沿って摺動自在となっている。
【００１３】
戸先框１は、図４に示すように、戸先側に向けて開口する略コ字状断面の溝３３を有しており、溝３３の室内側の壁３３ａの溝内側面に加熱発泡材取付け溝３が長手方向に沿って設けてあり、加熱発泡材取付け溝３に保持して加熱発泡材６が取付けてある。溝３３の室外側の壁３３ｂには不燃性タイト材３８が取付けてあり、不燃性タイト材３８は縦枠１６の内周側面に当接している。戸先框１の長手方向中間部には、溝３３内に保持して戸当りブロック３９が取付けてあり、障子１２，１３を閉めたときに戸当りブロック３９の傾斜面４０が縦枠１６のフィン３４に当接することで、障子１２，１３の戸先部が室内側に引き寄せられる。
【００１４】
図１に示すように、戸先框１の上端部には上振れ止め部品４が取付けてあり、戸先框１の下端部には下振れ止め部品５が取付けてある。上振れ止め部品４は、図５に示すように、上向きに開口するガイド溝４１を有し、ガイド溝４１が上枠１４のレール１８と摺接することで障子１２，１３上部の振れを抑える働きがある。上振れ止め部品４は、戸先框１の溝３３に上方から差し込まれ、下部に設けた係止突起４２を戸先框１に形成した孔に係止して取付けてある。上振れ止め部品４の上面４ａは、戸先框１の上端１ａと同面となっている。上振れ止め部品４は、図５（ａ）に示すように、加熱発泡材取付け溝３を逃がすように、溝３３の室内側の壁３３ａとの間に隙間４３が形成してある。
下振れ止め部品５は、図６に示すように、下向きに開口するガイド溝４４を有し、ガイド溝４４が下枠１５のレール２４，２５と摺接することで障子１２，１３下部の振れを抑える働きがある。下振れ止め部品５は、戸先框１の溝３３に下方から差し込まれ、下部に設けた係止突起４５を戸先框１に形成した切り欠きに係止して取付けてある。下振れ止め部品５の下面５ａは、戸先框１の下端１ｂと同面となっている。下振れ止め部品５は、図６（ａ）に示すように、加熱発泡材取付け溝３内の位置に、加熱発泡材６の下端を受ける落ち止め部１０を有している。
加熱発泡材６は、図１（ａ）に示すように、下振れ止め部品５の落ち止め部１０の上から戸先框１の上端１ａにわたって設けてある。
【００１５】
次に、加熱発泡材６の取付け方を説明する。障子１２，１３を框組みした後、戸先框１の上端部に上振れ止め部品４を、戸先框１の下端部に下振れ止め部品５をそれぞれ取付ける。次に、図７（ａ）に示すように、戸先框１の加熱発泡材取付け溝３の上端から加熱発泡材６を挿入する。加熱発泡材６をその下端が下振れ止め部品５の落ち止め部１０に当たる位置まで挿入したら、図７（ｂ）に示すように、戸先框１の上端１ａからはみ出した加熱発泡材６をカッター等の工具４６で切断する。
【００１６】
図８は、火災時に加熱発泡材６が発泡・膨張した状態を示している。加熱発泡材６は、火災の熱に反応して室外側に向けて発泡・膨張し、戸先框１の溝３３と縦枠１６の内周側面との間の空間を埋めて、縦枠１６と戸先框１の間からの火炎や煙の侵入を阻止する。加熱発泡材６が発泡・膨張する際、加熱発泡材６が縦枠１６のフィン３４を押すことで戸先框１に室内向きの力５１が働くので、戸先框１が熱反りして室内側面が縦枠１６の不燃性タイト材３６から離れるのを防止できる。
【００１７】
内外障子１２，１３の召合せ框２，２は、図４に示すように、お互いに対向する面に加熱発泡材取付け溝３を有し、加熱発泡材取付け溝３に保持して加熱発泡材９を取付けてあり、火災時にはこれらの加熱発泡材９が発泡・膨張して召合せ框２，２間の隙間を塞ぐ。各召合せ框２の上下端部には、図２に示すように、上振れ止め部品７と下振れ止め部品８が取付けてある。上振れ止め部品７は、図２（ａ）に示すように、加熱発泡材取付け溝３を逃がしてあり、下振れ止め部品８は、図２（ｃ）に示すように、加熱発泡材取付け溝３の下方位置に、加熱発泡材９の下端を受ける落ち止め部１０を有している。召合せ框２の加熱発泡材９は、戸先框１の加熱発泡材６と同様に、上振れ止め部品７を取付けた状態で、加熱発泡材取付け溝３の上端から挿入して取付けられる。召合せ框２の加熱発泡材９は、召合せ框９の上端２ａから下端２ｂまでの全長にわたって取付けられる。
【００１８】
内外障子１２，１３の上框２３，２３は、図３に示すように、上向きに開口した溝４７を有しており、その溝４７の底面に加熱発泡材取付け溝４８を有し、加熱発泡材取付け溝４８に保持して加熱発泡材４９が取付けてある。火災時にはこの加熱発泡材４９が発泡・膨張し、上枠１４との間の空間を埋め、上枠１４と上框２３の間からの火炎等の侵入を阻止する。
内外障子１２，１３の下框２９，２９は、下向きに開口した溝４８を有しており、その溝４８の室外側の壁の溝内側面に加熱発泡材取付け溝４９を有し、加熱発泡材取付け溝４９に保持して加熱発泡材５０が取付けてある。火災時にはこの加熱発泡材５０が発泡・膨張して、下枠１５のレール２４，２５に当接しつつ溝４８内の空間を埋め、下枠１５と下框２９の間からの火炎等の侵入を阻止する。
【００１９】
以上に述べたように本建具は、縦框（戸先框１、召合せ框２）の長手方向に沿って加熱発泡材取付け溝３を有し、縦框１，２上端部には加熱発泡材取付け溝３を逃がして上振れ止め部品４，７を取付けてあり、上振れ止め部品４，７を縦框１，２に取付けた状態で、加熱発泡材取付け溝３の上端から加熱発泡材６，９を挿通自在なので、加熱発泡材６，９を下振れ止め部品５，８の落ち止め部１０に当たるまで挿入し、縦框１，２上端の位置で加熱発泡材６，９を切断するだけでよく、加熱発泡材６，９の取付けが容易である。また、加熱発泡材６，９を下振れ止め部品５，８の落ち止め部１０から縦框１，２の上端１ａ，２ａに亘って広範囲に取付けできる。加熱発泡材６，９が縦框１，２の上端にまで設けてあることで、上枠１４のレール１８や中間垂下片１９及び室内側垂下片２０と対向する位置まで加熱発泡材６，９を設けられ（図３参照）、戸先框１に設けた加熱発泡材６は、火災時に縦枠１６と上枠１４とのコーナー部と戸先框１上端部との間の隙間を塞いで、縦枠１６と上枠１４とのコーナー部からの炎や煙の貫通を防ぎ、召合せ框２に設けた加熱発泡材９は、火災時に上枠１４と召合せ框２上端部との隙間を塞いで、上枠１４と召合せ部の間からの炎や煙の貫通を防ぐ。このように本建具は、火災時に戸先框１上端部と縦枠１６と上枠１４とのコーナー部との間を加熱発泡材６で塞ぎ、召合せ框２上端部と上枠１４との間を加熱発泡材９で塞ぎ、上框２３に設けた加熱発泡材４９と相俟って、上枠１４及び縦枠１６と障子１２，１３上部との間を隙間なく塞ぐことができる。上振れ止め部品４，７の上面４ａ，７ａを縦框１，２の上端１ａ，２ａと同面としたことで、加熱発泡材６，９の上端を縦框１，２の上端１ａ，２ａと一致させるのが容易である。下振れ止め部品５，８に落ち止め部１０を有しているので、加熱発泡材６，９が脱落することがない。
【００２０】
本発明は以上に述べた実施形態に限定されない。上振れ止め部品は、縦框に取付けた状態で加熱発泡材を加熱発泡材取付け溝に挿通自在であればよく、下振れ止め部品は、加熱発泡材が下に落ちないようにする落ち止め部を有していればよく、具体的な形状は適宜変更することができる。戸先框の加熱発泡材取付け溝は、戸先框の溝内の室外側の面や見込面に設けることもできる。本発明の建具は、引違いサッシに限らず、片引きサッシや片引き戸に適用することもできる。
【符号の説明】
【００２１】
１  戸先框（縦框）
２  召合せ框（縦框）
３  加熱発泡材取付け溝
４，７  上振れ止め部品
５，８  下振れ止め部品
６，９  加熱発泡材
１０  落ち止め部
【図１】
2018071066.tif 000003
【図２】
2018071066.tif 000004
【図３】
2018071066.tif 000005
【図４】
2018071066.tif 000006
【図５】
2018071066.tif 000007
【図６】
2018071066.tif 000008
【図７】
2018071066.tif 000009
【図８】
2018071066.tif 000010